(57)【要約】【課題】損失の少ない誘導加熱装置を提供すること。【解決手段】複数個の電気導体切片の集合体を備え、電気導体切片と電気導体切片との間の電気伝導率が電気導体切片が有する電気伝導率よりも低くなるように前記電気導体切片を配置する構成としたので、損失が少なくなる。【選択図】図１
2006302505.tif 000002
【特許請求の範囲】
【請求項１】
外郭を構成する本体と、アルミニウム若しくは銅またはこれらと略同等以上の電気伝導率を有する低透磁率材料からなる被加熱物を戴置する前記本体の上部に設けたトッププレートと、前記トッププレートの下方に設けられ前記被加熱物を誘導加熱する加熱コイルと、前記加熱コイルと前記被加熱物との間に設けられた電気導体とを備え、前記電気導体は複数個の電気導体切片の集合体で構成され、前記電気導体切片と前記電気導体切片との間の電気伝導率が前記電気導体切片が有する電気伝導率よりも低くなるように、前記電気導体切片を配置する構成とした誘導加熱装置。
【請求項２】
電気導体切片は、その大きさを加熱コイル電流により誘導される高周波電流の浸透深さの５倍を一辺とする立方体よりも小さくする構成とした請求項１に記載の誘導加熱装置。
【請求項３】
電気導体は、その厚みを加熱コイル電流により誘導される高周波電流の浸透深さの２倍以上とする請求項１に記載の誘導加熱装置。
【請求項４】
電気導体切片は、２種以上の大きさとなる切片の組み合わせにより構成する請求項１に記載の誘導加熱装置。
【請求項５】
電気導体切片は、電気導体端部及び中央部で粗密を設ける構成とした請求項１に記載の誘導加熱装置。
【請求項６】
電気導体切片は、電気導体端部及び中央部で切片の大きさを変更する構成とした請求項１に記載の誘導加熱装置。
【請求項７】
電気導体切片は、各々が電気的に絶縁された構成とした請求項１に記載の誘導加熱装置。
【請求項８】
電気導体切片は、各々が良熱伝導体からなる接合体で熱的に接合された構成とした請求項１に記載の誘導加熱装置。
【請求項９】
電気導体切片は、各々が電気導体切片に対して低電気伝導率材料からなる接合体で接合され、接合体は、安定電位部に電気的に接続された構成とした請求項１に記載の誘導加熱装置。
【請求項１０】
電気導体切片は、線材を切断することによって形成する請求項１に記載の誘導加熱装置。
【請求項１１】
電気導体切片は、複数の線材を束にした集合体を切断することによって形成する請求項１０に記載の誘導加熱装置。
【請求項１２】
電気導体は、接合体によって薄板に固着する構成とした請求項１に記載の誘導加熱装置。
【請求項１３】
電気導体は、複数の薄板に分割して固着する構成とした請求項１２に記載の誘導加熱装置。
【発明の詳細な説明】
【技術分野】
【０００１】
本発明は、一般家庭やオフィス、レストラン、工場などで使用される誘導加熱装置に関するものであり、さらに詳しくは被加熱物としてアルミニウムや銅などの低透磁率かつ高電気伝導率の材料からなる被加熱物を加熱する誘導加熱調理器や、誘導加熱式湯沸かし器、誘導加熱式アイロン、またはその他の誘導加熱式加熱装置などで、特にアルミニウムや銅などを加熱可能とする誘導加熱装置に関するものである。
【背景技術】
【０００２】
従来、この種の誘導加熱装置は、例えば、誘導加熱調理器に関して、複数のスイッチング素子を有し、一方のスイッチング素子のオン期間中に周期の短い共振電流を加熱コイルに発生し、かつ平滑コンデンサから加熱コイルに電力を供給することにより、入力電圧の脈流による鍋鳴り音が生じず、騒音の少ないアルミ鍋などを加熱する技術が知られている（例えば、特許文献１参照）。
【０００３】
また、加熱コイルの入力インピーダンスにおける等価直列抵抗（被加熱物及び電気導体を加熱状態と同様の位置配置で、加熱コイル近傍の周波数を使用して測定した加熱コイルの入力インピーダンスにおける等価直列抵抗（以下単に加熱コイルの等価直列抵抗と呼ぶ））を大きくする機能を有する電気導体を、加熱コイルとアルミニウムなどの低透磁率かつ高電気伝導率の材料でなる被加熱物の間に設けることにより、加熱コイルに流れる電流を小さくして被加熱物に作用する浮力を低減し、入力電力が大でも浮力による被加熱物のずれ、浮きが少なくする技術が知られている（例えば、特許文献２参照）。
【０００４】
図９、図１０、図１１、図１２、図１３は、特許文献２に記載された従来の誘導加熱装置（誘導加熱調理器）を示すものである。
【０００５】
図９は加熱コイル２１及びその周辺の構成を示す斜視図であり、図１０は誘導加熱装置本体（図示せず）に収納された加熱コイル２１と、本体上部に固定された天板２８と、天板２８に戴置される被加熱物２９を示す断面図である。
【０００６】
図９及び図１０において、２１は加熱コイルであり、インバータ（図示せず）から供給された約７０ｋＨｚの高周波電流により磁界を発生し、天板２８上に戴置された被加熱物２９を誘導加熱する。
【０００７】
電気導体２７は、厚さが略１ｍｍの材料がアルミニウムの板により形成され、絶縁板３１と天板２８の間に設けられている。
【０００８】
加熱コイル２１の上部に出た磁界は、電気導体２７に鎖交するので、電気導体２７には誘導電流が誘起される。電気導体２７の厚みは約１ｍｍで、加熱コイル２１電流により誘導される高周波電流の浸透深さ（以下単に誘導電流の浸透深さと呼ぶ）以上の厚みを有するので、電気導体２７に鎖交した磁界の大部分はほとんど電気導体２７を通過せず、外周側または内周側に迂回してから被加熱物２９に到達する。
【０００９】
電気導体２７がない場合には、加熱コイル２１から発生した高周波磁界に対して、アルミニウム若しくは銅又はこれらと同等以上の電気伝導率を有し、かつ低透磁率材料からなる被加熱物２９の内部には、反発する方向に磁界を発生すべく、誘導電流が誘起される。この結果、被加熱物２９内部の誘導電流から誘起される磁界と、加熱コイル２１から発生する磁界との交互作用により、被加熱物２９に浮力が生じる。
【００１０】
しかしながら、本従来の技術では、加熱コイル２１と被加熱物２９との間に電気導体２７が設けられており、さらにその厚みを誘導電流の浸透深さよりも大としている。加熱コイル２１から発生する磁界は、電気導体２７と被加熱物２９に鎖交し、両者に誘導電流を発生することになる。これにより電気導体２７に誘導された誘導電流の発生する磁界と、被加熱物２９に誘導された電流の発生する磁界の重畳磁界が、加熱コイル２１の発生する磁界の変化を妨げるように電気導体２７及び被加熱物２９に誘導電流が流れる。
【００１１】
つまり、被加熱物２９に誘導される電流分布が、電気導体２７に誘導電流が発生することにより変わることになる。この電流分布の変化で、加熱コイル２１の等価直列抵抗が大きくなり、同一出力を得る場合の加熱コイル２１に流す電流を小さくすることができ、被加熱物２９に作用する浮力が低減するとともに、電気導体２７が被加熱物２９に働くべき浮力の一部を分担することで、被加熱物２９に作用する浮力が低減できる。
【００１２】
図１１は被加熱物２９がアルミニウム製の鍋の場合の消費電力と浮力の関係を、アルミニウム製の電気導体２７がある場合（Ｂで示す）と電気導体２７がない場合（Ａで示す）について、また図１２は消費電力と加熱コイル電流の関係を、電気導体２７がある場合（Ｂで示す）と電気導体２７がない場合（Ａで示す）について測定結果の一例を示している。ただし、インバータの共振周波数は約７０ｋＨｚである。
【００１３】
これらの測定結果によると、電気導体２７を挿入することにより、加熱コイル２１の等価直列抵抗が増加し、被加熱物２９に働く浮力が低減するとともに、加熱コイル２１電流も低減されている。
【００１４】
図１３は電気導体２７の厚みと浮力に関する傾向である。電気導体２７の厚みを浸透深さ以上にすることにより、浮力低減効果を得ることが可能としている。
【特許文献１】特開２００３−２５７６０９号公報
【特許文献２】特開２００３−２６４０５４号公報
【発明の開示】
【発明が解決しようとする課題】
【００１５】
しかしながら、前記従来の技術は、被加熱物２９の誘導加熱と同時に、電気導体２７の誘導加熱が行われることになる。さらに、電気導体２７の厚みが誘導電流の浸透深さよりも大であるため、加熱コイル２１から発生した高周波磁界は電気導体２７を浸透、通過することがほとんどない、つまり浸透、通過しないだけの十分大きな誘導電流が電気導体２７内に誘起されてので、特に電気導体２７の発熱による損失が大きくなるという課題を有していた。
【００１６】
また例えば被加熱物２９を加熱コイル２１中心からずらして置いた場合、加熱コイル２１から発生する高周波磁界の分布も偏ったものになる。被加熱物２９底の端面が、電気導体２７内径側の端面のほぼ直上にくると、加熱コイル２１から発生した高周波磁界が開口部から空間へ放射されるため、特に電気導体２７内径側端面に集中する。そして電気導体２７内径側端面での誘導電流が大きくなるので、発熱が局部的に大きくなるといった課題を有していた。
【００１７】
本発明は、前記従来の課題を解決するもので、損失の少ない誘導加熱装置を提供することを目的としている。
【課題を解決するための手段】
【００１８】
前記従来の課題を解決するために、本発明の誘導加熱装置は、外郭を構成する本体と、アルミニウム若しくは銅またはこれらと略同等以上の電気伝導率を有する低透磁率材料からなる被加熱物を戴置する前記本体の上部に設けたトッププレートと、前記トッププレートの下方に設けられ前記被加熱物を誘導加熱する加熱コイルと、前記加熱コイルと前記被加熱物との間に設けられた電気導体とを備え、前記電気導体は複数個の電気導体切片の集合体で構成され、前記電気導体切片と前記電気導体切片との間の電気伝導率が前記電気導体切片が有する電気伝導率よりも低くなるように、前記電気導体切片を配置する構成としたものである。
【００１９】
これによって、電気導体切片と電気導体切片との間の電気伝導率が電気導体切片が有する電気伝導率よりも低くなるように、電気導体切片を配置するため、高周波磁界の集中が生じにくく、結果として局部的な発熱が生じないこととなる。
【発明の効果】
【００２０】
本発明の誘導加熱装置は、損失の少ない誘導加熱装置を提供することができる。
【発明を実施するための最良の形態】
【００２１】
第１の発明は、外郭を構成する本体と、アルミニウム若しくは銅またはこれらと略同等以上の電気伝導率を有する低透磁率材料からなる被加熱物を戴置する前記本体の上部に設けたトッププレートと、前記トッププレートの下方に設けられ前記被加熱物を誘導加熱する加熱コイルと、前記加熱コイルと前記被加熱物との間に設けられた電気導体とを備え、前記電気導体は複数個の電気導体切片の集合体で構成され、前記電気導体切片と前記電気導体切片との間の電気伝導率が前記電気導体切片が有する電気伝導率よりも低くなるように、前記電気導体切片を配置する構成する。例えば、前記電気導体切片と前記電気導体切片との間を、微小な空隙である開口部が複数設けられているような状態にすることにより、高周波磁界は、その微小な開口部を通過して被加熱物に到達することが可能であるから、電気導体の特定部分に磁界集中することがなく、電気導体の局部的な発熱が抑制できる。
【００２２】
第２の発明は、特に第１の発明において、電気導体切片は、その大きさを加熱コイル電流により誘導される高周波電流の浸透深さの５倍を一辺とする立方体よりも小さくする構成とした誘導加熱装置とするものである。
【００２３】
電気導体切片が大きければ大きいほど、電気導体が大きな板で形成されている状態に近付くことになる。つまり、高周波磁界からみて電気導体切片間の開口部が小さくなったり、電気導体切片内部に十分に誘導電流が流れる経路が形成され、高周波磁界の集中による局部的な発熱が生じやすくなる。従って、電気導体切片の大きさは所定値以下である必要がある。
【００２４】
発明者らは、実験により、電気導体切片形状を加熱コイル電流により誘導される高周波電流の浸透深さの５倍を一辺とする立方体よりも小さくすることにより、発熱抑制できることを確認した。
【００２５】
第３の発明は、特に第１の発明において、電気導体は、その厚みを加熱コイル電流により誘導される高周波電流の浸透深さの２倍以上とする誘導加熱装置とするものである。
【００２６】
電気導体切片形状が小さくなるほど、内部で回転するように流れる誘導電流が自らを打ち消すようになる。例えば、電気導体切片上面と下面で逆方向に流れていた誘導電流は、電気導体切片形状が小さくなると上面と下面との距離が近くなり、誘導電流を打ち消すように働く。電気導体切片内部に誘起される電流が少なくなれば、高周波磁界から見て絶縁体に近付くため、加熱コイルの等価直列抵抗を増加させる効果も弱まる。
【００２７】
本発明では、電気導体切片を積層し、電気導体全体の厚みを加熱コイル電流により誘導される高周波電流の浸透深さの２倍以上とすることにより、電気導体切片の量を増加させて、十分な等価直列抵抗増加効果を得ることができ、さらには浮力低減することができる。
【００２８】
第４の発明は、特に第１の発明において、電気導体切片は、２種以上の大きさとなる切片の組み合わせにより構成する誘導加熱装置とするものである。
【００２９】
同程度の形状の電気導体切片で電気導体を構成した場合、電気導体切片間に隙間が生じて、単位体積当たりの電気導体切片が少なくため、等価直列抵抗が下がってしまう。この隙間をなくすためには、電気導体切片を完全な立方体として整列させればよいが、ものづくり上非常に困難である。
【００３０】
本発明では、大きさの異なる切片を２種以上組み合わせることにより、大きな切片間に生じた隙間を小さな切片で埋めるような構成が可能となるため、単位体積当たりの電気導体切片を多くすることができ、等価直列抵抗を確保することが容易にできる。
【００３１】
第５の発明は、特に第１の発明において、電気導体切片は、電気導体端部及び中央部で粗密を設ける構成とした誘導加熱装置とするものである。
【００３２】
電気導体が板状であった場合、電気的に連続であるため、高周波磁界によって誘起された誘導電流は加熱コイル中心からみて周回方向に大きく流れるようになる。そのため、誘導電流分布は電気導体形状に大きく左右される。例えば、電気導体内径部が加熱コイル内径よりも小さい、又は電気導体外径部が加熱コイル外径よりも大きいような場合には誘導電流が集中して流れたり、あるいは電気導体に切り欠きが設けられていた場合には誘導電流の流れが偏ったりして、局部的な発熱が生じたりする場合がある。
【００３３】
本発明では、電気導体が微小な電気導体切片によって構成することにより、誘導電流の集中的な流れは発生しにくく、局部的な発熱が抑制される。しかしながら、加熱コイルから発生する高周波磁界は、加熱コイルの内径部と外径部の中間に位置する中央部近辺での強度が強いため、他部に比べて加熱コイル中央部直上に相当する電気導体（電気導体切片）の発熱が大きくなる。
【００３４】
特に本発明では、電気導体端部及び中央部で粗密を設けており、中央部で粗にすることにより、電気導体の発熱をさらに抑制することができる。
【００３５】
また、端部での電気導体切片は密に配置することにより、加熱コイルの等価直列抵抗を確保することができる。
【００３６】
第６の発明は、特に第１の発明において、電気導体切片は、電気導体端部及び中央部で切片の大きさを変更する構成とした誘導加熱装置とするものである。
【００３７】
前記のように、電気導体切片形状が小さくなるほど、内部で回転するように流れる誘導電流が自らを打ち消すようになり、加熱コイルの等価直列抵抗を増加させる効果が弱まる代わりに、電気導体切片で生じる発熱も少なくなる。
【００３８】
また、本発明では、電気導体が微小な電気導体切片によって構成されているため、誘導電流の集中的な流れは発生しにくく、局部的な発熱が抑制されるが、加熱コイルから発生する高周波磁界は、加熱コイルの内径部と外径部の中間に位置する中央部近辺での強度が強いため、他部に比べて加熱コイル中央部直上に相当する電気導体（電気導体切片）の発熱が大きくなる。
【００３９】
特に本発明では、発熱が大きくなる電気導体中央部の電気導体切片を小さく設定することにより、効果的に電気導体の発熱を抑制することが可能である。
【００４０】
また、端部での電気導体切片は大きく設定することにより、もともと発熱が他部に比べて低い端部であるため、問題なく加熱コイルの等価直列抵抗を確保することが可能である。
【００４１】
第７の発明は、特に第１の発明において、電気導体切片は、各々が電気的に絶縁された構成とした誘導加熱装置とするものである。
【００４２】
電気導体切片を配置したとき、各々の接触抵抗があるため、電気導体切片間での電流はほとんど流れないが、加熱コイル出力などによっては、接触した電気導体切片間で電流が流れはじめ、大きな誘導電流ループが生じ、発熱が大きくなる場合がある。
【００４３】
本発明では、電気導体切片各々が電気的に絶縁することにより、加熱コイル出力に関わらず電気導体発熱を抑制することが可能である。
【００４４】
第８の発明は、特に第１の発明において、電気導体切片は、各々が良熱伝導体からなる接合体で熱的に接合された構成とした誘導加熱装置とするものである。
【００４５】
電気導体切片自体に発生する損失は抑制されるが、熱容量が小さいために、熱的接続の状態により、温度上昇が大きくなる場合がある。また、電気導体切片間に空隙が生じ、その空隙が実質的な断熱材として働く場合がある。
【００４６】
本発明では、電気導体切片を良熱伝導体からなる接合体で熱的に接合することにより、電気導体切片間の熱移動が容易になるため、電気導体全体の温度平均化、温度上昇抑制が可能になる。
【００４７】
第９の発明は、特に第１の発明において、電気導体切片は、各々が電気導体切片に対して低電気伝導率材料からなる接合体で接合され、接合体は、安定電位部に電気的に接続された構成とした誘導加熱装置とするものである。
【００４８】
アルミニウム若しくは銅またはこれらと略同等以上の電気伝導率を有する低透磁率材料からなる被加熱物は電気伝導率が小さいため、内部に誘導電流が流れてもジュール熱の発生量が少なく、誘導加熱されにくい。そのため、加熱コイルから発生する高周波磁界の周波数を高めて被加熱物の見かけの抵抗（高周波抵抗）を高めたり、加熱コイル出力を高めたりする。特に後者の場合、出力アップは加熱コイルにかかる電圧の増加につながる。
【００４９】
加熱コイルにかかる電圧が非常に高圧となった場合、対向するように配置されている被加熱物と加熱コイル間の静電容量により、使用者が加熱中の被加熱物に接触すると、加熱コイル−被加熱物−使用者−アースの経路で漏洩電流が流れる恐れがある。
【００５０】
本発明では、加熱コイルと被加熱物間に設けられた電気導体切片を低電気伝導率材料からなる接合体で接合し、接合体は安定電位部に電気的に接続することにより、加熱コイルと被加熱物間の静電容量を切断するような構成になり、漏洩電流を低減することが可能である。
【００５１】
また接合体は、電気導体切片に対して低電気伝導率材料で構成されているため、接合体自身の誘導加熱もほぼ行われない。
【００５２】
第１０の発明は、特に第１の発明において、電気導体切片は、線材を切断することによって形成する誘導加熱装置とするものである。
【００５３】
電気導体切片を、例えば板を切断して形成した場合、手間、時間がかかるため、コストが高くなる。また、溶融した金属を空気中に放射して形成した場合、切片１つの形状があまり大きなものにすることができない上、形状コントロールが非常に困難である。
【００５４】
本発明では、すでに線材として形成された材料を所定の寸法で切断することにより、揃った形状の電気導体切片を容易に低コストで得ることができる。
【００５５】
第１１の発明は、特に第１０の発明において、電気導体切片は、複数の線材を束にした集合体を切断することによって形成する誘導加熱装置とするものである。
【００５６】
本発明によれば、切断した時点である程度の個数の電気導体切片が形成することにより、容易に電気導体を作成することが可能である。
【００５７】
また同時に切断された電気導体切片は、その寸法がほぼ揃っているため、形状のコントロールが非常に容易であり、ものづくり上のバラツキを小さく押さえることができる。
【００５８】
第１２の発明は、特に第１の発明において、電気導体は、接合体によって薄板に固着する構成とした誘導加熱装置とするものである。
【００５９】
電気導体切片を互いに接合しない場合はもちろん、何らかの接合体により接合した場合であっても、電気導体全体としての強度を確保するのは非常に難しい。
【００６０】
本発明によれば、電気導体の補強を可能にする薄板に、電気導体切片を接合体によって固着することにより、電気導体全体の強度を確保することが容易になる上、加熱コイルユニットの一部としてバネ、リブなどによる保持が容易となる。
【００６１】
第１３の発明は、特に第１２の発明において、電気導体は、複数の薄板に分割して固着する構成とした誘導加熱装置とするものである。
【００６２】
本発明によれば、電気導体の発熱が抑制されるが、固着した薄板の熱膨張率によって電気導体が変形する場合がある。そのため、複数の薄板に分割して電気導体を固着することにより、薄板の熱膨張率の影響を抑制し、電気導体の変形を少なくすることが可能になる。
【００６３】
以下、本発明の実施の形態について、図面を参照しながら説明する。なお、この実施の形態によって本発明が限定されるものではない。
【００６４】
（実施の形態１）
図１は、本発明の実施の形態１における誘導加熱装置を示すものであり、特に誘導加熱調理器の要部の概略断面図を示すものである。
【００６５】
図１において、外郭を構成する本体１の上部に、絶縁体であり、耐熱セラミックス製のトッププレート２が設けられている。
【００６６】
アルミニウム若しくは銅またはこれらと略同等以上の電気伝導率を有する低透磁率材料からなる被加熱物３は、トッププレート２上に戴置される。
【００６７】
トッププレート２の下方には、素線を束ねた撚り線を多層にして平板上に巻き回されて構成される加熱コイル４が備えられている。加熱コイル４は、内径８０ｍｍ、外径１８０ｍｍの略ドーナツ形状をなしている。棒状のフェライト５は、加熱コイル４面と略並行に配置されており、特にその両端を、トッププレート２へ向けて上方垂直に折り曲げた形状となっている。
【００６８】
電気導体６は、複数個の電気導体切片７集合体で形成され、加熱コイル４と被加熱物３との間に設けられている。また、電気導体６の厚みは、後述するが、加熱コイル４電流により誘導される約９０ｋＨｚの高周波電流の浸透深さ約０．２８ｍｍの２倍以上、１．６ｍｍとしている。
【００６９】
電気導体切片７は、純アルミで形成されており、浸透深さ約０．２８ｍｍの５倍、１．４ｍｍを一辺とする立方体よりも小さくする構成としている。本実施の形態では、電気導体切片７は円柱形状で、その直径と長さが同じ寸法としている。
【００７０】
図２は、電気導体６の概略構成を示す図である。本実施の形態では、電気導体は大きく、Φ１．０ｍｍ×Ｌ１．０ｍｍとなる電気導体切片７ａ及びΦ０．８ｍｍ×Ｌ０．８ｍｍとなる電気導体切片７ｂの２種から形成されている。また、電気導体切片７ａや電気導体切片７ｂの空隙を埋めるべく、さらに寸法の小さいΦ０．６ｍｍ×Ｌ０．６ｍｍとなる電気導体切片７ｃが配置されている。つまり、電気導体切片７は２種以上の大きさとなる切片の組み合わせにより構成されている。
【００７１】
電気導体切片７は、表面に酸化膜が形成されるよう前処理されており、電気導体切片７間は各々が電気的に絶縁された構成としている。
【００７２】
またさらに、電気導体切片７と電気導体切片７との間の電気伝導率が、電気導体切片７が有する電気伝導率よりも低くなるように電気導体切片７を配置する。たとえば、これら電気導体切片７間に残された空隙には、純アルミからなる電気導体切片７に比べて十分電気伝導率の低いカーボンからなる接合体８で埋められている。またさらに接合体８は端子９に電気的に接触するよう配置されており、端子９からはコンデンサ１０を介して商用電源電位あるいは加熱コイル４に高周波電流を供給するインバータ（図示せず）の入力する商用電源を整流した電位あるいは大地に接続される。
【００７３】
カーボンからなる接合体８は、空気に比べ十分に熱伝導がよく、空気の熱伝導率が約０．０２Ｗ／ｍ・Ｋであるのに対し、カーボンは数Ｗ／ｍ・Ｋとなる熱伝導率を持つため、電気導体切片７は、各々が良熱伝導体からなる接合体８で熱的に接合されている状態でもある。
【００７４】
形状の大きい電気導体切片７ａは、電気導体６の内径側、外径側となる端部に配置されており、形状の小さい電気導体切片７ｂは、電気導体６の中央部に配置されている。また電気導体切片７ｃは、場所を問わずほぼ均等に配置されている。つまり、電気導体切片７は電気導体６端部及び中央部で切片の大きさを変更されている。
【００７５】
電気導体６は、加熱コイル４とほぼ同形状の内径約８０ｍｍ、外径約１８０ｍｍのドーナツ状となっているが、２ヶ所で分断されており、Ｃ字形状が向かい合ったような形状をなしている。各々の電気導体切片７ａ、７ｂは、マイカで形成される厚み０．３ｍｍの複数の薄板１１ａ、１１ｂに分割して、接合体８によって固着されている。
【００７６】
以上のように構成された誘導加熱装置について、以下その動作、作用を説明する。
【００７７】
まず加熱コイル４には、約７０ｋＨｚの高周波電流が供給される。加熱コイル４は、高周波電流が供給されると磁界を発生するが、加熱コイル４下方では高透磁率材料であるフェライト５があり、磁界がフェライト５に集中するために、磁界が被加熱物３と反対側に膨らむのを防止できる。フェライト５は、複数のフェライトコアを組み合わせて構成することでも同様の効果が得られる。
【００７８】
一方、加熱コイル４上方へ出た磁界は、電気導体６に鎖交するため、電気導体６内部には誘導電流が誘起される。この時、誘導電流の周波数は約９０ｋＨｚであり、電気導体６がアルミニウム製である場合の誘導電流の浸透深さδ＝約０．２８ｍｍである。本実施の形態では、電気導体６は、複数個の電気導体切片７から構成されており、微小な電気的な空隙（実際には接合体８で埋められている）も複数存在している。そのため、加熱コイル４からの磁界は、電気導体６内部の電気的空隙を通過して、もしくは電気導体６開口部を通過して被加熱物３方向へ導かれる。フェライト５の両端部分は、上方垂直に折り曲げられているため、上方の被加熱物３方向へ磁界を効率よく誘導する作用をもつ。
【００７９】
加熱コイル４上方へ出た磁界は、電気導体６開口部を通過した磁界と、電気導体６内部の電気的空隙を通過した磁界との合成磁界となって、被加熱物３に到達する。被加熱物３に誘起される誘導電流は、この合成磁界により発生するものである。そのため、電気導体６が介在することにより、電気導体６がない場合と比較し、誘導電流分布は変化して、加熱コイル４の等価直列抵抗が大きくなり、同一出力を得る場合の加熱コイル４に流す電流を小さくすることができ、被加熱物３に作用する浮力が低減する。
【００８０】
図３は、被加熱物３を加熱コイル４中心からずらして配置した際の、高周波磁界の分布を示した概略図である。図３（ａ）に示すように、電気導体６が板状で電気的に連続していた場合、基本的に電気導体６内部を磁界が通過できないため、電気導体６開口部から集中的に放射されるようになる。被加熱物３がずらして配置され、その底面端部が電気導体６開口部直上近辺になった場合、電気導体６開口端部への急激な磁界集中により、電気導体６の局部的な発熱が生じて電気導体６変形や、トッププレート２の異常過昇温などの不具合が生じる。
【００８１】
しかしながら本実施の形態である図３（ｂ）のように、電気導体６が複数個の電気導体切片７で構成されている場合、電気導体切片７間に存在する微小な電気的空隙と、電気導体６開口部から磁界が放射されるために、被加熱物３と電気導体６の位置関係により局部的に磁界が集中するということはない。そのため、被加熱物３が移動しても電気導体６の発熱を抑制することが可能である。
【００８２】
また、電気導体切片７内部では、通過する磁界に誘導されて電流が流れる。図４は電気導体切片７内部に流れる誘導電流の模式図を示している。電気導体６が板状で電気的に連続していた場合、図４（ａ）に示すように、表面に大きな流れが発生し、厚み方向の中央部では電流が弱まる分布となる。
【００８３】
本実施の形態のように電気導体６が、複数個の電気導体切片７で構成されていた場合、図４（ｂ）に示すように、切片１つ１つに厚み方向に周回する電流が発生する。電気導体切片７形状が十分小さい場合、特に切片中心部分で、周回する電流が自らを打ち消すように働くため、電気導体切片７の誘導電流が抑制されて発熱が低減される。電気導体切片７に絶縁処理がされていなくても、切片間の接触抵抗により、ある程度は電気導体切片７間には誘導電流が流れない。しかし、加熱コイル４出力が大きくなると、電気導体切片７間にも誘導電流が流れるようになり、大きな板状の電気導体６と同様の状態になるため、特に本実施の形態では、電気導体切片７表面に酸化膜などを形成する前処理を行い、電気導体切片７間が十分に絶縁されて、大きな誘導電流が流れないようにしている。
【００８４】
しかしながらこの効果は、電気導体切片７が絶縁体に近付くような状態であるため、加熱コイル４から見た等価直列抵抗が低下する。
【００８５】
図５は、電気導体切片７の寸法に対する加熱コイル４から見た等価直列抵抗と温度上昇の相関を示した図である。この測定において、被加熱物３も同時に戴置されており、電気導体切片７が１層に１種類の形状で構成されている状態での、９０ｋＨｚにおける等価直列抵抗を測定した結果である。また本実施の形態のように、電気導体切片７は円柱形状をしており、その直径と長さを同じ寸法にしている。図から明らかなように、電気導体切片７が大きくなれば、等価直列抵抗を増加させる効果が大きいが、その分温度上昇も大きくなる。
【００８６】
図６は、電気導体切片７の寸法を固定して積層し、電気導体６全体の厚みを変更した際の加熱コイル４から見た等価直列抵抗の相関を示した図である。前述の通り、電気導体切片７の寸法を小さくすることにより、発熱は抑制されるが等価直列抵抗も低下してしまっていた。しかしながら、電気導体切片７を積層することにより、等価直列抵抗を増加させることが可能である。
【００８７】
発明者らは、実験によりこのような相関に関する知見を得、実用的には電気導体切片７は、その大きさを加熱コイル４電流により誘導される高周波電流の浸透深さの５倍を一辺とする立方体よりも小さくする構成とすることで、温度上昇の抑制を可能にした。
【００８８】
さらに、電気導体６全体の厚みは、加熱コイル４電流により誘導される高周波電流の浸透深さの２倍以上とすることで、十分な等価直列抵抗を確保して浮力低減を可能にした。
【００８９】
また、電気導体切片７ａ、７ｂの空隙には、さらに形状の小さい電気導体切片７ｃが配置されるよう構成されている、つまり２種以上の大きさとなる切片の組み合わせにより構成されているため、単位体積当たりの電気導体切片７の量が確保され、等価直列抵抗を増加させる効果をなしている。
【００９０】
前述のように、電気導体６が複数個の電気導体切片７で構成されている場合、電気導体切片７間に存在する微小な電気的空隙と、電気導体６開口部から磁界が放射されるために、被加熱物３と電気導体６の位置関係により局部的に磁界が集中するということはない。そのため、電気導体６の温度分布は、加熱コイル４から発生する高周波磁界分布に略相似となり、加熱コイル４内径部と外径部の中間に位置する中央部の直上、電気導体６の中央部での発熱が大きくなる傾向にある。
【００９１】
本実施の形態では、比較的大きな電気導体切片７ａを電気導体６内径部及び外径部に配置し、発熱が大きくなると予測される中央部には、比較的小さな電気導体切片７ｂを配置することで、つまり電気導体切片７は、電気導体６端部及び中央部で切片の大きさを変更する構成とすることにより、等価直列抵抗の確保と温度上昇の抑制を両立させている。
【００９２】
また、電気導体切片７は、良熱伝導体でもある接合体８によって互いに接合されているため、電気導体切片７間の熱移動が容易になるため、電気導体６全体の温度平均化、温度上昇抑制をさらに促進している。
【００９３】
良熱伝導体であり、かつ電気導体切片７に比較して低電気伝導率材料からなる接合体８のもう１つの効果としては、漏洩電流の低減効果がある。アルミニウム若しくは銅またはこれらと略同等以上の電気伝導率を有する低透磁率材料からなる被加熱物３は、内部に誘導電流が誘起されても低抵抗、低透磁率のためにジュール熱が発生しにくい。
【００９４】
本実施の形態のように、高周波磁界を通常の誘導加熱よりも高周波とすることで、被加熱物３の見かけの抵抗である高周波抵抗を高めることは可能であるが、それだけでは十分な火力を得ることはできない。
【００９５】
したがって、加熱コイル４の巻き数を増やす、加熱コイル４電流を増加させるなどの、高周波磁界強度を上げる対策がとられるが、これらの対策は加熱コイル４にかかる電圧を非常に高電圧にする。
【００９６】
被加熱物３は加熱コイル４に対向して戴置されるため、加熱コイル４が非常に高電圧となったときに使用者が被加熱物３に接触すると、加熱コイル４−被加熱物３間に存在する静電容量を介して、使用者を通ってアースへ電流が流れる。これが漏洩電流である。
【００９７】
本実施の形態では、加熱コイル４と被加熱物３間に配置される電気導体６に含まれる接合体８が電気伝導率をもった材料で構成されており、接合体８は安定電位部に電気的に接続しているため、加熱コイル４と被加熱物３間の静電容量を切断するような構成になり、漏洩電流を低減することが可能である。
【００９８】
また接合体８は、電気導体切片７に対して低電気伝導率材料で構成されているため、接合体８自身の誘導加熱もほぼ行われない。
【００９９】
電気導体切片７は、接合体８で接合されており、全体として板状の電気導体６を形成しているが、異種物質間の接合であるため、強度の確保が課題である。本実施の形態では、電気導体６を、接合体８によって薄板１１に固着する構成であるため、所定の強度を得ることを容易になる上、ハンドリングや、加熱コイル４を保持するベース（図示せず）へのリブやバネによる電気導体６保持を容易にすることが可能である。
【０１００】
また、電気導体６発熱が抑制されたといっても数１００℃程度の温度になるため、固着した薄板１１の熱膨張率によって電気導体６が変形する場合がある。そのため、複数の薄板１１ａ、１１ｂに分割して電気導体６ａ、６ｂを固着することにより、薄板１１の熱膨張率の影響を抑制し、電気導体６の変形を少なくすることを可能にしている。
【０１０１】
また、電気導体切片７作成時において、電気導体切片７を、例えば板を切断して形成した場合、手間、時間がかかるため、コストが高くなる。また、溶融した金属を空気中に放射して形成した場合、切片１つの形状があまり大きなものにすることができない上、寸法精度のコントロールが非常に困難である。
【０１０２】
本実施の形態では、図７に示すように、すでに線材１２として形成された材料を、複数束にした集合体を所定の寸法で切断することによって電気導体切片７を形成しているため、揃った形状の電気導体切片７を容易に低コストで得ることができる。
【０１０３】
また同時に切断された電気導体切片７は、その寸法がほぼ揃っているため、寸法精度のコントロールが非常に容易であり、ものづくり上のバラツキを小さく押さえることができる。
【０１０４】
なお、線材１２複数束にする際に互いに接合体で固着することにより、線材１２の集合体を切断した時点である程度の面積を持つ電気導体切片７の集合体が形成されることになるため、このような集合体をいくつか配置することによって容易に電気導体６を作成することが可能である。
【０１０５】
さらに、接合体に絶縁効果をもつものを選択すれば、電気導体切片７の絶縁処理を同時に兼ねることが可能である。
【０１０６】
以上のように、本実施の形態では、電気導体切片７と電気導体切片７との間の電気伝導率が電気導体切片７が有する電気伝導率よりも低くなるように、電気導体切片を配置することにより、磁界を、被加熱物３方向へ導くこととなり、電気導体６の発熱を抑制することができる。
【０１０７】
（実施の形態２）
図８は、本発明の実施の形態２における電気導体６の概略構成を示す図である。
【０１０８】
本実施の形態は、実施の形態１とほぼ同構成となるため、構成が異なる部分について説明する。
【０１０９】
図８において、電気導体６は、Φ１．０ｍｍ×Ｌ１．０ｍｍとなる電気導体切片７から構成されている。
【０１１０】
電気導体切片７は、電気導体６の内径側、外径側となる端部では密に配置されており、内径側、外径側の中間に位置する中央部には粗に配置されている。
【０１１１】
前述のように、電気導体６が複数個の電気導体切片７で構成されている場合、電気導体切片７間に存在する微小な電気的空隙と、電気導体６開口部から磁界が放射されるために、被加熱物３と電気導体６の位置関係により局部的に磁界が集中するということはない。そのため、電気導体６の温度分布は、加熱コイル４から発生する高周波磁界分布に略相似となり、加熱コイル４内径部と外径部の中間に位置する中央部の直上、電気導体６の中央部での発熱が大きくなる傾向にある。
【０１１２】
本実施の形態では、電気導体切片７を特に内径部及び外径部に密に配置し、発熱が大きくなると予測される中央部には粗に配置する、つまり電気導体切片７は、電気導体６端部及び中央部で粗密を設ける構成とすることにより、等価直列抵抗の確保と温度上昇の抑制を両立させている。
【０１１３】
なお、実施の形態１及び実施の形態２では、電気導体切片７が線材１２を切断して形成した円柱形状で、その直径と長さが同じ寸法となる粒子の例を挙げたが、これに限定するものではない。例えば電気導体切片７を、板を切断して直方体、立方体に形成した場合、また溶融した金属を空気中に放射してしずく状に形成した場合、また何らかの方法によって大きな塊を破砕して小さな塊にした場合などの粒子であっても、本実施の形態で挙げた温度抑制効果を得ることができる。
【０１１４】
また例えば、電気導体切片７が略球状の粒子であった場合、電気導体切片７表面に突起部や端部、エッジが生じない。そのため、電気導体切片７表面への絶縁膜形成などが容易に行うことが可能であり、絶縁劣化による局部的な発熱の生じない安定した性能を持つ電気導体６を形成できる。
【０１１５】
つまり、電気導体６として得られる効果、性能は、電気導体切片７の材質、寸法などに影響されるところが大きい。一方で、電気導体切片７がほぼ同体積であれば形状によって効果、性能が大きく損なわれるということはない。電気導体切片７作成のための設備投資、寸法精度の管理の容易さなどをトータルで考慮し、電気導体切片７形状を決定すればよい。
【産業上の利用可能性】
【０１１６】
以上のように、本発明にかかる誘導加熱装置は、損失の少ない誘導加熱装置を提供することができるので、誘導加熱調理器としてはもちろんのこと、アルミニウムや銅などの高電気伝導率かつ低透磁率材料を加熱する誘導加熱式湯沸かし器、誘導加熱式アイロン、またはその他の誘導加熱式加熱装置としても有用である。
【図面の簡単な説明】
【０１１７】
【図１】本発明の実施の形態１における誘導加熱装置の要部概略断面図
【図２】同誘導加熱装置の電気導体６の概略構成図
【図３】（ａ）同誘導加熱装置の電気導体６が板状で電気的に連続している場合における高周波磁界分布を示す概略図（ｂ）同誘導加熱装置の電気導体６が多数個の電気導体切片７で構成されている場合における高周波磁界分布を示す概略図
【図４】（ａ）同誘導加熱装置の電気導体６が板状で電気的に連続している場合における電気導体切片７内部に流れる誘導電流を示す模式図（ｂ）同誘導加熱装置の電気導体６が多数個の電気導体切片７で構成されている場合における電気導体切片７内部に流れる誘導電流を示す模式図
【図５】同誘導加熱装置の電気導体切片７の寸法に対する加熱コイル４から見た等価直列抵抗と温度上昇の相関を示す図
【図６】同誘導加熱装置の電気導体６全体の厚みを変更した際の加熱コイル４から見た等価直列抵抗の相関を示す図
【図７】同誘導加熱装置の電気導体切片７製造方法を示す概略図
【図８】本発明の実施の形態２における誘導加熱装置の電気導体６の概略構成図
【図９】従来の誘導加熱装置の要部斜視図
【図１０】同誘導加熱装置の要部断面図
【図１１】同誘導加熱装置の加熱コイルの等価直列抵抗と浮力の相関を示す図
【図１２】同誘導加熱装置の加熱コイルの等価直列抵抗と加熱コイル電流値の相関を示す図
【図１３】同誘導加熱装置の電気導体の厚みと被加熱物に作用する浮力の相関を示す図
【符号の説明】
【０１１８】
１  本体
２  トッププレート
３  被加熱物
４  加熱コイル
６  電気導体
７  電気導体切片
８  接合体
１１  薄板
１２  線材
【図１】
2006302505.tif 000003
【図２】
2006302505.tif 000004
【図３】
2006302505.tif 000005
【図４】
2006302505.tif 000006
【図７】
2006302505.tif 000007
【図８】
2006302505.tif 000008
【図９】
2006302505.tif 000009
【図１０】
2006302505.tif 000010
【図１１】
2006302505.tif 000011
【図１２】
2006302505.tif 000012
【図１３】
2006302505.tif 000013
【図５】
2006302505.tif 000014
【図６】
2006302505.tif 000015